【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
プレイリストを共有する方法であって、
１つまたは複数のトラックと１つまたは複数のアルバムのうちの少なくとも１つを識別する前記プレイリストを受信するステップと、
前記プレイリストのコンテンツを、トラックとアルバムがそれを介して購入されるオンライン・ストアのコンテンツと突き合わせるステップと、
前記オンライン・ストアから購入できないトラックとアルバムを前記プレイリストからフィルタリングするステップと、
から構成されることを特徴とする方法。
【請求項２】
前記プレイリストは１人または複数の個人から見えるように、前記フィルタリングされたプレイリストを公開するステップをさらに有することを特徴とする請求項１に記載の方法。
【請求項３】
前記公開されたフィルタリング済みのプレイリストは、前記公開されたフィルタリング済みのプレイリスト内の各アイテムに関連する購入価格を含むことを特徴とする請求項２に記載の方法。
【請求項４】
１つまたは複数のトラックと１つまたは複数のアルバムのうちの少なくとも１つを、前記１つまたは複数のトラックとアルバムがもはや前記オンライン・ストアから購入することができない場合は削除するステップと、
前記１つまたは複数のトラックとアルバムが前記プレイリストから削除された状態で前記プレイリストを再公開するステップをさらに有することを特徴とする請求項２に記載の方法。
【請求項５】
前記フィルタリングされたプレイリスト内で識別される１つまたは複数のトラックまたはアルバムを前記オンライン・ストアから購入することを求める要求を受信するステップをさらに有することを特徴とする請求項１に記載の方法。
【請求項６】
プレイリストを共有する方法であって、
１つまたは複数のトラックと１つまたは複数のアルバムのうちの少なくとも１つを識別する前記プレイリストを受信するステップと、
前記プレイリストの公開要求を受信するステップと、
前記プレイリストが１人または複数の個人から見えるように前記プレイリストを公開するステップと
から構成されることを特徴とする方法。
【請求項７】
前記プレイリストが公開されたことを示すステップをさらに有することを特徴とする請求項６に記載の方法。
【請求項８】
前記プレイリストの公開するステップは、
前記プレイリストが大衆から見えるように前記プレイリストを公開するステップを有することを特徴とする請求項６に記載の方法。
【請求項９】
公開するステップはウェブ・サイトを介して実施されることを特徴とする請求項６に記載の方法。
【請求項１０】
前記プレイリストが受信された前記個人と連絡を取ることを求める要求を受信するステップと、
前記個人に電子メールを送信するステップとをさらに有し、
前記個人の識別と電子メール・アドレスは前記要求に応答して提供されないことを特徴とする請求項６に記載の方法。
【請求項１１】
前記プレイリストのコンテンツを、トラックとアルバムがそれを介して購入されるオンライン・ストアのコンテンツと突き合わせるステップと、
前記オンライン・ストアから購入できないトラックとアルバムを前記プレイリストからフィルタリングするステップをさらに有し、
前記プレイリストの公開するステップは、前記フィルタリングされたプレイリストを公開するステップを有することを特徴とする請求項６に記載の方法。
【請求項１２】
修正されたプレイリストが生成されるように、１つまたは複数のトラックとアルバムがもはや前記オンライン・ストアから購入できない場合は前記プレイリストから前記１つまたは複数のトラックとアルバムを削除するステップと、
前記修正されたプレイリストを公開するステップをさらに備えることを特徴とする請求項１１に記載の方法。
【請求項１３】
前記プレイリストの公開前にポルノやわいせつなトラックとアルバムのうちの少なくとも１つを前記プレイリストからフィルタリングするステップをさらに有することを特徴とする請求項６に記載の方法。
【請求項１４】
前記プレイリストの公開前に１つまたは複数のトラックとアルバムのうちの少なくとも１つを前記プレイリストからフィルタリングするステップをさらに有することを特徴とする請求項６に記載の方法。
【請求項１５】
前記公開されたプレイリストを非公開にするステップをさらに有することを特徴とする請求項６に記載の方法。
【請求項１６】
前記公開されたプレイリスト内の各エントリが購入価格を含むことを特徴とする請求項６に記載の方法。
【請求項１７】
前記オンライン・ストアから前記公開済みプレイリストを見る個人によって購入された１つまたは複数のトラックまたはアルバムを示す、前記公開済みプレイリスト内の１つまたは複数のエントリにフラグを立てるステップをさらに有することを特徴とする請求項６に記載の方法。
【請求項１８】
前記オンライン・ストアから前記公開済みプレイリスト内で識別された前記トラックとアルバムのすべてを購入することを求める要求を受信するステップをさらに有することを特徴とする請求項６に記載の方法。
【請求項１９】
前記オンライン・ストアから前記公開済みプレイリスト内で識別された１つまたは複数のトラックまたはアルバムを購入することを求める要求を受信するステップをさらに有することを特徴とする請求項６に記載の方法。
【請求項２０】
前記購入要求は、前記プレイリストをアップロードし公開した個人から受信されることを特徴とする請求項１９に記載の方法。
【請求項２１】
前記購入要求は、前記ＵＲＬを介して前記プレイリストにアクセスする前記１人または複数の個人のうちの１人から受信されることを特徴とする請求項１９に記載の方法。
【請求項２２】
前記オンライン・ストアから購入された前記公開済みプレイリスト内の前記１つまたは複数のトラックまたはアルバムにフラグを立てるステップをさらに有することを特徴とする請求項１９に記載の方法。
【請求項２３】
前記プレイリストの公開するステップは、前記オンライン・ストアからプレイリスト公開オプションを選択するステップを有することを特徴とする請求項６に記載の方法。
【請求項２４】
前記公開済みプレイリストを非公開にするステップをさらに有することを特徴とする請求項２３に記載の方法。
【請求項２５】
前記プレイリストを修正するステップと、
前記修正済みプレイリストがアップロードされ、１人または複数の個人から見えるように、前記プレイリストを再公開するステップをさらに有することを特徴とする請求項６に記載の方法。
【請求項２６】
前記公開するステップと再公開するステップは、前記公開されたプレイリストのコンテンツが購入されるオンライン・ストアから開始されることを特徴とする請求項２５に記載の方法。
【請求項２７】
前記プレイリストを修正するステップは、１つまたは複数のトラックと１つまたは複数のアルバムのうちの少なくとも１つを前記プレイリストから削除しまたは追加するステップを有することを特徴とする請求項２５に記載の方法。
【請求項２８】
前記プレイリストの公開するステップは、ＵＲＬを介して前記プレイリストを提供するステップを含み、前記プレイリストの再公開するステップは前記ＵＲＬを介して前記修正済みプレイリストを提供するステップを含むことを特徴とする請求項２５に記載の方法。
【請求項２９】
前記ＵＲＬが、前記公開されたプレイリストのコンテンツが購入されるオンライン・ストアへのアクセスを提供することを特徴とする請求項２８に記載の方法。
【請求項３０】
前記プレイリストが修正されたことを示す電子メールを１人または複数の個人に送信するステップをさらに有し、前記電子メールは前記１人または複数の個人が前記修正されたプレイリストにアクセスできるＵＲＬを識別することを特徴とする請求項２５に記載の方法。
【請求項３１】
前記トラックまたはアルバムのそれぞれが、名前、アーティスト、アルバムのうちの少なくとも１つによって識別され、関連する個人的評価を有することを特徴とする請求項６に記載の方法。
【請求項３２】
前記プレイリストは、前記プレイリストが公的または私的であることを示すステータスを有し、前記ステータスは前記プレイリストが公的であると示している場合は前記プレイリストが複数の個人によってアクセス可能であり、前記プレイリストが私的であると前記ステータスが示している場合は、前記プレイリストが、前記プレイリストをアップロードする役割を担う個人によってだけアクセス可能であり、前記プレイリストが前記プレイリスト公開前には私的のステータスを有し、前記プレイリスト公開後には公的のステータスを有することを特徴とする請求項６に記載の方法。
【請求項３３】
前記プレイリストの説明とタイトルのうちの少なくとも１つを指定するステップをさらに有することを特徴とする請求項６に記載の方法。
【請求項３４】
前記説明からアドレスと電話番号のうちの少なくとも１つをフィルタリングするステップをさらに有することを特徴とする請求項３３に記載の方法。
【請求項３５】
プレイリストを共有する方法であって、
それぞれが１つまたは複数のトラックと１つまたは複数のアルバムのうちの少なくとも１つを識別する、１つまたは複数のプレイリストを維持するステップと、
前記公開されたプレイリストが１人または複数の個人から見えるように前記プレイリストのうちの１つまたは複数を公開するステップと、
前記プレイリストのうちの１つに関連する前記１つまたは複数のトラックと１つまたは複数のアルバムのうちの少なくとも１つに関する要求を受信するステップを有することを特徴とする方法。
【請求項３６】
公開するステップは前記プレイリストのそれぞれに関連する公開ステータスに従って実施され、前記公開ステータスが第１のステータスにある場合には、前記対応するプレイリストが公開されることを示し、前記公開ステータスが第２の状態にある場合には、前記対応するプレイリストが公開されないことを示すことを特徴とする請求項３５に記載の方法。
【請求項３７】
プレイリストを共有する方法であって、
１つまたは複数のトラックと１つまたは複数のアルバムのうちの少なくとも１つを識別するプレイリストを取得するステップと、
前記プレイリストが１人または複数の個人から見えるように、前記プレイリストを公開するステップと、
１つまたは複数のトラックと１つまたは複数のアルバムのうちの少なくとも１つに関する要求を受信するステップをさらに有することを特徴とする方法。
【請求項３８】
前記要求は前記１人または複数の個人のうちの１人から受信されることを特徴とする請求項３７に記載の方法。
【請求項３９】
前記プレイリスト内の各アイテムは、前記トラックとアルバムのそれぞれについて名前、アーティスト、アルバム、ジャンル、再生時間、個人的評価のうちの少なくとも１つを有することを特徴とする請求項３７に記載の方法。
【請求項４０】
前記要求は前記トラックまたはアルバムのうちの少なくとも１つを識別し、前記要求は、前記識別されたトラックまたはアルバムを含む１つまたは複数のプレイリストを表示することを求める要求であることを特徴とする請求項３７に記載の方法。
【請求項４１】
前記要求は、前記識別されたトラックまたはアルバムを含む、最も閲覧されたプレイリストを表示することを求める要求であることを特徴とする請求項４０に記載の方法。
【請求項４２】
前記要求は、前記識別されたトラックまたはアルバムを含む、最も購入されたプレイリストを表示することを求める要求であることを特徴とする請求項４０に記載の方法。
【請求項４３】
前記プレイリストの公開の役割を担う個人によって購入された１つまたは複数のトラックまたはアルバムを表示するステップをさらに有することを特徴とする請求項３７に記載の方法。
【請求項４４】
前記プレイリスト内のすべてのアルバムとトラックを購入した人の数を決定するステップと、
前記プレイリスト内のすべてのアルバムとトラックを購入した人の数を表示するステップをさらに有することを特徴とする請求項３７に記載の方法。
【請求項４５】
前記プレイリストにアクセスした人の数を判断するステップと、
前記プレイリストにアクセスした人の数を表示するステップをさらに有することを特徴とする請求項３７に記載の方法。
【請求項４６】
前記要求は、ローカル・コンピュータ上で前記トラックまたはアルバムのコピーを再生することを求める要求であって、前記方法は、
前記ローカル・コンピュータ上で前記トラックまたはアルバムのコピーを突き止めるステップと、
前記トラックまたはアルバムの前記コピーを再生するステップをさらに有することを特徴とする請求項３７に記載の方法。
【請求項４７】
前記要求は、前記トラックまたはアルバムのサンプルを聴くことを求める要求であって、前記方法は、
前記トラックまたはアルバムに関連するサンプルを取得するステップと、
前記トラックまたはアルバムに関連する前記サンプルを再生するステップをさらに有することを特徴とする請求項３７に記載の方法。
【請求項４８】
前記要求は、前記トラックまたはアルバムのサンプルをライブラリにコピーすることを求める要求であって、前記方法は、
前記トラックまたはアルバムに関連する前記サンプルを前記選択されたライブラリにコピーするステップをさらに有することを特徴とする請求項３７に記載の方法。
【請求項４９】
前記要求は、前記プレイリスト内で識別された前記１つまたは複数のトラックとアルバムのすべてを購入することを求める要求であることを特徴とする請求項３７に記載の方法。
【請求項５０】
前記プレイリスト内で識別された前記トラックまたは複数のトラックがアルバム内にあるかどうか判断するステップをさらに有することを特徴とする請求項４９に記載の方法。
【請求項５１】
前記プレイリスト内で識別された前記トラックまたは複数のトラックが同じアルバム内にないと判断された場合は、前記トラックのそれぞれが個々に購入されるように前記要求を処理することを特徴とする請求項５０に記載の方法。
【請求項５２】
前記プレイリスト内で識別された前記トラックまたは複数のトラックが同じアルバム内にあると判断される場合、前記アルバムの購入を提案することを特徴とする請求項５０に記載の方法。
【請求項５３】
前記アルバムの前記購入はアルバム価格で提供されることを特徴とする請求項５２に記載の方法。
【請求項５４】
前記プレイリスト内で識別された前記トラックまたは前記トラックの大部分がアルバム内にあるかどうか判断するステップをさらに有することを特徴とする請求項４９に記載の方法。
【請求項５５】
前記プレイリスト内で識別された前記トラックまたは前記トラックの大部分がアルバム内にあると判断された場合は前記アルバムの購入を提案することを特徴とする請求項５４に記載の方法。
【請求項５６】
前記アルバムの前記購入はアルバム価格で提供されることを特徴とする請求項５５に記載の方法。
【請求項５７】
要求された前記トラックの合計価格が前記アルバム価格を超える場合は、前記アルバムの前記購入が前記アルバム価格で提供されることを特徴とする請求項５５に記載の方法。
【請求項５８】
前記要求は前記プレイリスト内で識別された前記トラックとアルバムのすべての購入を求める要求である場合は、前記購入の値引きを提供するステップをさらに有することを特徴とする請求項４９に記載の方法。
【請求項５９】
前記要求は前記プレイリスト内で識別される前記トラックとアルバムの特定の割合の購入を求める要求である場合は、前記購入の値引きを提供するステップをさらに有することを特徴とする請求項４９に記載の方法。
【請求項６０】
前記要求が、前記要求を提出した個人によって所有される前記トラックとアルバムにフラグを立てることを求める要求であることを特徴とする請求項３７に記載の方法。
【請求項６１】
前記要求内で識別される前記１つまたは複数のトラックとアルバムを含む１つまたは複数の追加の公開済みプレイリストを突き止めるステップと、
前記要求に応答して前記１つまたは複数の追加の公開済みプレイリストを提供するステップとをさらに有することを特徴とする請求項３７に記載の方法。
【請求項６２】
プレイリストを共有するための装置であって、
１つまたは複数のトラックと１つまたは複数のアルバムのうちの少なくとも１つを識別する前記プレイリストを受信する手段と、
前記プレイリストの公開要求を受信する手段と、
前記プレイリストが１人または複数の個人から見えるように前記プレイリストを公開するする手段とを備えることを特徴とする装置。